(57)【特許請求の範囲】
【請求項１】
字幕表示が可能なデジタルテレビ受信機であって、
放送信号取得部と、
字幕表示の負荷を検出する負荷検出部と、
該負荷検出部において検出された負荷がある閾値を超えた場合に、映像の表示品質を維持し、字幕表示のスピードが落ちないように、字幕表示の質を下げる制御をする制御部と
を有することを特徴とするデジタルテレビ受信機。
【請求項２】
前記字幕表示の質を下げる制御とは、字幕表示の文字の大きさを小さくする制御であることを特徴とする請求項１記載のデジタルテレビ受信機。
【請求項３】
さらに、字幕表示に関する表示品質を調整する操作を行う操作部を有することを特徴とする請求項１又は２に記載のデジタルテレビ受信機。
【請求項４】
前記閾値に幅を持たせることにより、表示品質を変更しない領域を形成することを特徴とする請求項１から３までのいずれか１項に記載のデジタルテレビ受信機。
【請求項５】
字幕表示が可能なデジタルテレビ受信機における字幕表示方法であって、
字幕表示の負荷を検出するステップと、
検出された負荷がある閾値を超えた場合に、映像の表示品質を維持し、字幕表示のスピードが落ちないように、字幕表示の質を下げる制御をするステップと
を有することを特徴とする字幕表示方法。
【発明の詳細な説明】
【技術分野】
【０００１】
本発明は、デジタル放送受信機の字幕表示技術に関する。
【背景技術】
【０００２】
例えば、車両用ナビゲーション装置において、建物毎に関連画像の表示量を累積し、累積された表示量が所定量以上の場合には、建物関連画像の表示を規制する手段を備えた技術がある（特許文献１参照）。
【０００３】
また、デジタル放送受信機においても字幕を表示することが可能である。図４は、デジタル放送受信機における一般的な字幕表示例を示す図である。図４に示す表示画面には、映像とともに、例として今日のニュースに関する字幕が表示されている。字幕の文字の大きさ設定が小さい場合、テレビ受信機が高速処理可能な場合、頻繁に字幕表示が切り替わるものではない場合などにおいては、字幕表示に関する負荷は小さいため、特に問題なく字幕表示を行うことができる。
【０００４】
【特許文献１】特開２００５−２０８１５８号公報
【発明の開示】
【発明が解決しようとする課題】
【０００５】
図５及び図６は、字幕表示画面の一例を示す図である。図５に示す画面には、映像の上に、わずかな字幕（英字）が表示されている。図６は、同じデジタルテレビ受信機における別の表示画面の一例を示す図である。図６に示すように、複数種類の字幕表示があり、かつ、画面いっぱいに広がって表示されている。画面いっぱいに表示が広がるような、或いは、頻繁に描画が発生する画面を表示する場合には負荷が高くなり、例えば字幕の表示速度が遅くなったりするという問題があった。
【０００６】
より具体的には、図７に示すように、表示画面にニュースに関する字幕表示がされている場合において、字幕表示に処理のストレス（負荷）が出てくる場合としては、以下のようなケースがある。
１）文字の大きさ設定が大きすぎる。
２）受信機における表示処理の速度が遅い（能力が低い）。
３）頻繁に字幕が書き変わる。
４）複数のメニュー表示が同時に行われる。
また、図８に示すように、現状の受信機では、処理のストレスがかかった場合に、字幕をゆっくりと表示する場合が多いため、表示が遅く視聴者がいらいらする場合もある。
【０００７】
本発明は、字幕表示をスムーズに行うことを目的とする。
【課題を解決するための手段】
【０００８】
本発明は、字幕描画量を計測し、その描画量がある閾値を超えたときには、字幕表示の質（文字サイズ、スクロール品位等）を下げて、字幕表示速度を落とさないようにする手段を備えることを特徴とする。すなわち、表示ストレス（描画量）に応じて、字幕表示設定を表示ストレスが小さくなる方向に設定し、字幕表示が遅れないようにする。
すなわち、本発明の一観点によれば、字幕表示が可能なデジタルテレビ受信機であって、放送信号取得部と、処理の負荷を検出する負荷検出部と、該負荷検出部において検出された負荷がある閾値を超えた場合に、字幕表示に関する表示品質を字幕表示のスピードが落ちない方向に制御する制御部と、を有することを特徴とするデジタルテレビ受信機が提供される。
【０００９】
また、字幕表示が可能なデジタルテレビ受信機であって、放送信号取得部と、該放送信号取得部から取得した字幕サービスに基づく負荷を検出する負荷検出部と、該負荷検出部において検出された負荷がある閾値を超えた場合に、字幕表示に関する表示品質を字幕表示のスピードが落ちない方向に制御する制御部と、を有することを特徴とするデジタルテレビ受信機が提供される。さらに、字幕表示に関する表示品質を調整する操作を行う操作部を有することが好ましい。前記閾値に幅を持たせることにより、表示品質を変更しない領域を形成することもできる。
【００１０】
本発明の他の観点によれば、字幕表示が可能なデジタルテレビ受信機における字幕表示方法であって、放送信号から取得した字幕サービスに基づく負荷を検出するステップと、検出された負荷がある閾値を超えた場合に、字幕表示に関する表示品質を字幕表示のスピードが落ちない方向に制御するステップと、を有することを特徴とする字幕表示方法が提供される。
【発明の効果】
【００１１】
テレビ受信機の字幕表示に関して、字幕表示の負荷の閾値を超えサービス提供が難しくなりそうな場合には、字幕表示を調整し、例えば最低限の字幕表示を行うことでサービスを継続することができる。ユーザ操作により字幕表示を調整することも可能である。
【００１２】
また、描画能力の差を意識せずに受信機の開発ができる（同じ字幕描画ソフトを使って、高機能受信機の場合は高品質字幕サービス、低機能受信機の場合は、表示スピードを優先した最低限の字幕サービスを提供できる）という利点がある。
【００１３】
さらに、負荷に関する別の閾値も設けておくことで、ストレスが減った場合に元の字幕表示品質に戻すこともできる。
【発明を実施するための最良の形態】
【００１４】
以下、本発明の一実施の形態によるデジタルテレビ受信機について図面を参照しながら説明を行う。図１は、本実施の形態によるデジタルテレビ受信機の一構成例を示す機能ブロック図である。図２Ａ、図２Ｂは、本実施の形態によるデジタルテレビ受信機における処理の流れを示すフローチャート図である。
【００１５】
図１に示すように、本実施の形態によるデジタルテレビ受信機１は、コンテンツを表示する表示部１１と、放送信号を取得する放送信号取得部２３と、画面を合成する画面合成部１３と、ユーザが操作するリモコン装置などのユーザＩ／Ｆ部２５と、全体を制御する処理を行う制御部２７と、を有している。
【００１６】
制御部２７は、映像・音声・情報２１、ＣＣ描画情報１５・メニュー描画情報１７を取得し、これらの情報により、画面合成前の描画情報量（ＣＣ）３３、画面合成後の描画情報量（全体）３１を検出する。例えば、字幕サービス受信後から、時間単位で字幕描画量（バイト数、計測時間など）を計測し、観測しておく。そして、字幕描画量が、ある閾値を超えた場合には、文字サイズを自動的に小さくする等の方法で字幕表示の質を下げ、表示のスピードが落ちないように制御する。
【００１７】
例えば、画面合成前の字幕表示に関する描画情報量（ＣＣ）３３と画面合成後の描画情報量（全体）３１との比を求め、字幕表示に関する描画情報量（ＣＣ）３３の割合が増えてある閾値を超えると、上記の制御を行うようにすれば良い。或いは、グラフィックメモリへのアクセス量を検出しても良い。このような比を求める機能を、表示ストレス検出機能とし、表示ストレスは、描画情報量（ＣＣ）３３／描画情報量（全体）３１の値が大きいほど大きいと推測することができる。表示ストレスの検出を、ユーザの目による判断に委ねても良い。
【００１８】
描画情報増減の指示３５は、ユーザＩ／Ｆ２５から行っても良い。この場合には、ユーザが表示部１１の表示を見て字幕表示に関する反応速度の検出３７を行い、これに基づいて、検出された速度が遅い場合には、描画情報を減少させる方向に操作を行う。
【００１９】
図２Ａに示すように、字幕表示処理の流れは、ステップＳ１の字幕表示中において、ステップＳ２において単位時間あたりの描画領域デジタルテレビ受信機の能力に依存して設定されている値）が規定値以上であれば（Ｙ）、ステップＳ３に進む。そうでなければ（Ｎ）、ステップＳ１に戻る。ステップＳ３において、ユーザ操作に対するレスポンス時間（受信機の能力によらずほぼ一定）が規定値以上であれば（Ｙ）、ステップＳ４に進み、字幕表示のサービスレベルを下げ、ステップＳ１に戻る。規定値未満であれば（Ｎ）、ステップＳ１に戻る。すなわち、ステップＳ２とステップＳ３とにより、表示ストレスを検出し、適切に対応することができる。
【００２０】
字幕表示のサービスレベルを下げる方向への制御例としては、
１）文字の大きさを小さくする、
２）メニューの同時表示を中止する、
３）スクロールの時間当たりの回数を少なくする、
などの方法がある。
【００２１】
図２Ｂに示すように、字幕表示中（ステップＳ１１）に高負荷コンテンツが到来すると（ステップＳ１２）、顕著な表示ストレスが検出される（ステップＳ１３）。そこで、字幕表示に関するサービスレベルを下げる（ステップＳ１４）。高負荷コンテンツの到来が終了すると（ステップＳ１５）、字幕表示に関するサービスレベルを戻す処理を行う（ステップＳ１４）。
【００２２】
図３Ａは、本実施の形態によるデジタルテレビ受信機の表示例を示す図である。図３Ａに示すように、検出された表示ストレスに応じて、顕著なストレスを検出した場合には、例えば表示ストレスが生じないレベルまで字幕表示の表示品位を下げ、字幕表示に関するストレスを少なくして、コンテンツ（映像などメインのもの）の表示品質を維持する。そのために、文字の大きさを小さくしたり、メニューの同時表示を行わないようにしたりする。
このようにして、高負荷コンテンツの到来に対処することができる。
【００２３】
尚、図３Ｂに示すように、表示ストレスがユーザの許容範囲内であれば、番組の表示が切り替わるまでは、表示ストレスを受けたまま字幕サービスのレベルを落とさずに維持するように制御することも可能である。図３Ｂに示すように、表示による負荷に関する閾値を２つ設け（閾値１、閾値２）、負荷の検出値が閾値１から閾値２までの間であれば、字幕表示の品質の変更を行わないようにする。これにより、品質が頻繁に変更することによる表示の不自然さを解消することができる。また、表示の品質に関する調整を、負荷の検出値に基づいて、例えばリニアに変化するようにしても良い。
【００２４】
以上に説明したように、字幕サービス受信後から時間単位での字幕描画量（バイト数、計測時間など）を計測し、字幕描画量がある閾値を超えたときには、字幕表示の質を下げて字幕表示のスピードが落ちないように制御することで、表示ストレスを少なくし、字幕表示の速度が遅れないようにすることができるという利点がある。
【産業上の利用可能性】
【００２５】
本発明は、字幕表示サービスが可能なデジタルテレビ受信機に利用可能である。
【図面の簡単な説明】
【００２６】
【図１】本発明の一実施の形態によるデジタルテレビ受信機の一構成例を示す機能ブロック図である。
【図２Ａ】本実施の形態によるデジタルテレビ受信機における処理の流れを示すフローチャート図である。
【図２Ｂ】本実施の形態によるデジタルテレビ受信機における処理の流れを示すフローチャート図である。
【図３Ａ】本実施の形態によるデジタルテレビ受信機の表示例を示す図である。
【図３Ｂ】本発明の実施の形態の変形例であって、閾値の別の決め方を示す図である。
【図４】デジタル放送受信機における一般的な字幕表示例を示す図である。
【図５】字幕表示画面の一例を示す図である。
【図６】字幕表示画面の一例を示す図である。
【図７】表示画面にニュースに関する字幕表示がされている例を示す図である。
【図８】現状の受信機における字幕表示例を示す図である。
【符号の説明】
【００２７】
１…デジタルテレビ受信機、１１…表示部、１３…画面合成部、２３…放送信号取得部、２５…ユーザＩ／Ｆ部、２７…制御部、３１、３３…表示ストレス検出部。
【図１】
0004845570.tif 000002
【図２Ａ】
0004845570.tif 000003
【図２Ｂ】
0004845570.tif 000004
【図３Ａ】
0004845570.tif 000005
【図３Ｂ】
0004845570.tif 000006
【図４】
0004845570.tif 000007
【図５】
0004845570.tif 000008
【図６】
0004845570.tif 000009
【図７】
0004845570.tif 000010
【図８】
0004845570.tif 000011